(57)【要約】【課題】  被写体の表示態様を切換えた場合に、一緒に表示していた指標が適切に表示されないため、構図の決定に役立たないばかりでなく、かえって撮影の邪魔になってしまう。【解決手段】  指標の表示を被写体の表示態様に合わせて適切に制御する。例えば、被写体の表示領域が小さくなった場合は指標を表示しない。あるいは、小さくなった領域に合わせて指標のサイズを変更して表示する、指標の色を変える、といった処理を行う。【選択図】  図１５
2007174530.tif 000002
【特許請求の範囲】
【請求項１】
撮影の対象となる被写体を画面に表示する第１の表示制御手段と、
前記第１の表示制御手段により表示された被写体に指標線を重畳して表示する第２の表示制御手段と、
前記被写体の表示の態様を変更する表示変更手段を備え、
前記第２の表示制御手段は、前記被写体の表示態様に応じた態様となるよう指標線の表示を制御することを特徴とする撮像装置。
【請求項２】
前記第１の表示制御手段は、前記表示変更手段による変更に応じて、画面に１枚の被写体を表示する第１のモードと、撮影済の画像と前記被写体を１画面中に表示する第２のモードを切換えて表示することを特徴とし、
前記第２の表示制御手段は、前記第１のモードのときは指標線を表示し、前記第２のモードの場合は指標線を表示しないことを特徴とする請求項１に記載の撮像装置。
【請求項３】
前記第１の表示制御手段は、前記表示変更手段による変更に応じて、画面に１枚の被写体を表示する第１のモードと、撮影済の画像と前記被写体を１画面中に表示する第２のモードを切換えて表示を行うことを特徴とし、
前記第２の表示制御手段は、前記第２の表示モードの場合には前記被写体の表示領域内にのみ指標線を表示することを特徴とする請求項１に記載の撮像装置。
【請求項４】
前記第１のモードにおける被写体の表示及び指標線の位置と、前記第２のモードにおける被写体の表示位置に基づき、前記第２のモードにおける指標線の表示位置を決定する位置決定手段を備え、
前記第２の表示制御手段は、前記位置決定手段によって決定された表示位置に指標線を表示することを特徴とする請求項３に記載の撮像装置。
【請求項５】
前記表示変更手段は、被写体を特殊効果を施した態様に変更することを特徴とし、
前記第２の表示制御手段は、前記特殊効果の種類に応じて指標線の態様を異ならせることを特徴とする請求項１に記載の撮像装置。
【請求項６】
前記第２の表示制御手段により表示される指標線は、画面に水平な線または画面に垂直な線のいずれかを含むことを特徴とする請求項１に記載の撮像装置。
【請求項７】
撮影の対象となる被写体を画面に表示する第１の表示工程と、
前記第１の表示工程により表示した被写体に指標線を重畳して表示する第２の表示工程と、
前記被写体の表示の態様を変更する表示変更工程を備え、
前記第２の表示工程は、前記被写体の表示態様に応じた態様となるよう指標線の表示を制御することを特徴とする撮像装置の制御方法。
【発明の詳細な説明】
【技術分野】
【０００１】
本発明は撮像装置及びその制御方法に関するものである。
【背景技術】
【０００２】
従来、デジタルビデオカメラでの撮影における構図の決定を補助する種々の技術が開示されている。例えば、撮影位置を表す位置情報を基に、撮影位置における推奨構図の画像を読み出してビューアー内に重畳して表示する技術が開示されている（特許文献１）。
【０００３】
また、最近では１６：９画像を再生できるワイドテレビの普及等により、デジタルビデオカメラにおいても１６：９画像を撮影記録できるものが多くなってきている。１６：９画像の撮影では４：３画像の撮影に比べ水平方向が広いため、水平や垂直がずれた状態で撮影した画像をワイドテレビの大画面で再生させた場合、水平や垂直のずれが目立つようになる。このようなずれを防止するために、水平線や垂直線などの構図の決定に役立つ指標を、撮影時のビューアー内に表示する技術が開示されている（非特許文献１）。
【特許文献１】特開２００２−１０１１４
【非特許文献１】キヤノン株式会社／キヤノン販売株式会社、”ＸＬ  Ｈ１  製品特長”、アスペクト比１６：９、２．４型２１．５万画素ファインダーユニット、［ｏｎｌｉｎｅ］、［２００５年１２月１６日検索］、インターネット＜ＵＲＬ：ｈｔｔｐ：／／ｃｗｅｂ．ｃａｎｏｎ．ｊｐ／ｄｖ／ｌｉｎｅｕｐ／ｘｌｈ１／ｐｏｉｎｔ２．ｈｔｍｌ＞
【発明の開示】
【発明が解決しようとする課題】
【０００４】
しかしながら、指標の表示をＯＮにした状態で撮影対象を表示する領域を変更した場合、例えば画像特殊効果やマルチ画面撮影を行った場合には、かえって指標が邪魔になる場合がある。これは撮影対象の表示位置が変化したにもかかわらず、撮影の構図を決める指標の表示位置が固定されているためである。
【０００５】
このような場合、撮影者が指標表示ＯＮ／ＯＦＦボタン等を操作することにより指標の表示をＯＦＦする必要があり、煩雑である。
【課題を解決するための手段】
【０００６】
上記課題を解決するために、本発明は、撮影の対象となる被写体を画面に表示する第１の表示制御手段と、前記第１の表示制御手段により表示された被写体に指標線を重畳して表示する第２の表示制御手段と、前記被写体の表示の態様を変更する表示変更手段を備え、前記第２の表示制御手段は、前記被写体の表示態様に応じた態様となるよう指標線の表示を制御することを特徴とする。
【発明の効果】
【０００７】
本発明によれば、指標表示をＯＮにした状態で撮影対象の表示態様が変更される操作がされても、変更後の表示態様に応じた態様で指標が表示されるように制御される。そのため、ユーザは撮影対象の表示態様が変更されるたびに指標表示のＯＮ／ＯＦＦを切り換える必要がなくなる。
【発明を実施するための最良の形態】
【０００８】
＜実施例１＞
図１に本実施例におけるデジタルビデオカメラの構成を示す。図１において、１はピントを合わせるためのフォーカスレンズであり、このフォーカスレンズ１を通った光は絞り２を通過し、ＣＣＤ３の撮像面上に結像されて、電気信号に光電変換される。
【０００９】
システムコントローラ７はＣＣＤ３のシャッター制御や絞り制御を行い、適切な光量に調節する。本図では割愛しているが、光電変換された信号はＴＧにより発生された基準クロックによって読み出される。そしてカメラプリプロセス回路４内のＣＤＳ・ＡＧＣでサンプル／ホールドされると同時にシステムコントローラ７より最適なゲインにコントロールされ、Ａ／Ｄ変換器で基準クロックに同期したデジタル信号に変換される。
【００１０】
さらにシステムコントローラ７は各スイッチの状態を検知し、入力信号をカメラ信号処理回路５に伝送する処理を行い、デジタルビデオカメラ全体を制御している。
【００１１】
カメラ信号処理回路５内では各種信号を処理する。デジタル信号に変換された画像信号は様々な信号処理を施され、画像データが生成される。フレームメモリ６はカメラ信号処理回路５で生成された画像データを一時的に保持するために使用される。記録再生装置８はテープやディスク、フラッシュメモリ、ハードディスクデジタル信号処理された画像データを記録再生するのに使用される。特殊効果選択スイッチ１０は特殊効果の設定を行うための入力手段であり、撮影者の操作に応じた処理をシステムコントローラ７が行う。マーカー表示ＯＮ／ＯＦＦ選択スイッチ９は、撮影者がシステムコントローラ７に対して、撮影時に指標表示のＯＮ／ＯＦＦの指示を行うための入力手段である。表示ドライバ１１はカメラ信号処理回路５で生成された画像データを受け取り、表示装置１２への出力を行うためのものである。表示装置１２は表示ドライバ１１から送られてきた画像を表示するものである。表示装置の例としては、液晶パネルや有機ＥＬディスプレイがある。１３はマルチ取り込みボタンである。後述するマルチ画面取り込みの際に、画像を取り込むのに用いられるボタンである。１４は表示モード選択スイッチである。表示装置１２に表示される画面の表示形態を切り換えるためのスイッチである。１５は選択ボタンであり、撮影者が表示画面１２に表示されるメニューを選択するためのキーなどを操作するためのものである。なお、各ボタンは１つとは限らず、ボタン群で構成されていてもよい。１６は撮影・再生切換えスイッチである。撮影者が撮影・再生切換えスイッチ１６を操作、設定することにより、撮影モードと再生モードを切換えることができる。なお、撮影モードはさらに動画撮影モードと静止画撮影モードを切換えることができる。１７はレリーズボタンである。動画撮影モードでレリーズボタン１７が押下されると動画の撮影が開始され、静止画撮影モードでレリーズボタン１７が押下されると静止画の撮影が行われる。
【００１２】
次にカメラ画像に画像特殊効果を合成するための処理について、図１、及び図２のカメラ信号処理回路５内のブロック図を用いて説明する。撮像された画像はプリプロセス回路４でサンプル／ホールド、ＡＧＣ、ＡＤ変換され、デジタルデータに変換される。デジタルデータ化されたデジタル信号はカメラ信号処理回路５に入力され、信号処理回路でＡＷＢ処理やガンマ補正などの信号処理が施される。フィーチャー回路ではシステムコントローラ７の命令に従い、カメラ画に所定の画像処理が施される。画像処理の中には後述するマーカーの付加、特殊効果の付加が含まれる。画像処理を施された画像は表示ブロック、記録再生装置に転送され、記録処理および表示処理される。
【００１３】
ここで、本実施例におけるマルチ画面取り込みについて説明する。まず、撮影者が撮影・再生スイッチ１６を撮影モードに設定すると、デジタルビデオカメラは撮影スタンバイ状態となる。表示モード選択スイッチ１４が通常モードに設定されている場合、表示装置１２には図３に示すように画面全体が被写体表示領域となり、現在ＣＣＤ３で撮像している像（以下、「被写体」）が表示される。
【００１４】
撮影者が表示モード選択スイッチ１４をマルチ画面取り込みモードに切り換えると、表示装置１２には図４に示すマルチ画面が表示される。４０１は現在ＣＣＤ３で撮像している画像、すなわち被写体である。図４に示す画面では画面が９分割され、被写体４０１はそのうちの左上の領域に表示されている。
【００１５】
図４の状態で撮影者がマルチ取り込みボタン１３を押下すると、その時点の静止画が取り込まれ記録される。そして表示装置１２には図７のような画面が表示される。７０１は取り込まれた静止画（以下、「取り込み済画像」）である。そして７０２は被写体である。図７のように、マルチ画面では被写体と取り込み済画像が同時に表示される。
【００１６】
図７の状態でさらに撮影者がマルチ取り込みボタンを押下すると、静止画が取り込まれ、表示装置１２には図８のような画面が表示される。８０１は図７の取り込み済画像７０１に相当する画像である。８０２は新たに取り込んだ静止画である。８０３は被写体である。図８に示すように、マルチ画面では、取り込み済画像を取り込みの順番に右上から並べて表示し、被写体が必ずマルチ表示の最後尾にくるよう表示される。
【００１７】
なお、このマルチ画面取り込みは、撮影スタンバイ状態で行うこともできるし、動画の撮影・記録と平行して行うこともできる。
【００１８】
次に、特殊効果撮影について説明する。特殊効果撮影とは、被写体に特殊効果を付けて撮影するものである。特殊効果の例としては、キューブ、回転、ウェーブ、モノクロ、セピア等がある。
【００１９】
図３の状態で撮影者が特殊効果選択スイッチ１０を押下すると、図９に示すメニューが表示部１２に表示される。
【００２０】
撮影者が選択ボタン１５を操作して図９のメニューから所望の特殊効果を選択すると、ビデオカメラは特殊効果モードとなる。特殊効果モードでは選択した特殊効果処理が実行され、特殊効果を施した被写体が表示装置１２に表示される。被写体に特殊効果「回転」を施した画面を図１０に示す。ある時点での被写体の表示を（ａ）、（ａ）の時点から一定時間経過した表示の状態を（ｂ）に示す。図１０に示すように、回転処理では被写体が時計回りに回転しながら表示される。
【００２１】
本実施例では、マルチ画面取り込みモードと特殊効果モードを別のものとして扱っているが、必ずしも別のモードにする必要はない。例えばマルチ画面取り込みモードを特殊効果モードの１つに含め、図９の選択メニューの中に「マルチ表示」などの項目を追加してもよい。
【００２２】
次に、指標の表示について説明する。指標とは、撮影時に構図を決定するときの目安、目印となるものである。指標の例として画面に水平な線を表示する水平マーカーや、画面に垂直な線を表示する垂直マーカー、またはそれらを組み合わせたグリッド線、画面の中心点を表示する中心マークなどがあげられる。本実施例では、水平マーカーを例に説明する。
【００２３】
図３に示す状態は、マーカー表示ＯＮ／ＯＦＦスイッチ（以下「マーカースイッチ」）９がＯＦＦの状態であり、マーカーは表示されない。
【００２４】
撮影者がマーカースイッチ９をＯＮの状態にすると、図１１に示すように、水平マーカー１１０１が画面１１０２に重畳して表示される。水平マーカー１１０１は、画面１１０２の表示領域の横方向の辺に平行な線である。撮影者はこの水平マーカー１１０１と被写体を見ながら構図を決定する。撮影者が再度マーカースイッチ９をＯＦＦの状態にすると水平マーカー１１０１は消え、図３の状態に戻る。
【００２５】
ここから、被写体１１０２の表示態様に応じて水平マーカー１１０１の表示態様を変更する処理について説明する。
【００２６】
ここでは例として、通常モードでマーカースイッチ９がＯＮ状態、すなわち図１１の状態において、撮影者が表示モード選択スイッチ１４をマルチ画面取り込みモードに切り換えたときの表示について説明する。
【００２７】
図１１に示す画面が表示された状態で、撮影者が表示モード選択スイッチ１４をマルチ画面取り込みモードに切り換えると、図４に示す画面が表示される。
【００２８】
この画面では、例えマーカースイッチ９がＯＮの状態であっても水平マーカーは表示されない。ここでは、被写体の領域が１１０２の位置から４０１の位置へと変更されると、被写体との位置が合わなくなった水平マーカー１１０１は自動的に非表示となる。
【００２９】
次に、図１１に示す画面の状態から、特殊効果「回転」を施した場合、図１０に示す画面が表示される。この場合も水平マーカーは表示されない。表示の位置が１１０２から１００１に変更されてしまう上に、被写体１００１は常に回転しているため、不要になった水平マーカー１１０１は自動的に非表示になる。
【００３０】
マーカーを自動的が非表示となることで、ユーザはマーカースイッチ９をＯＦＦにするという煩わしい操作をせずに済む。
【００３１】
本実施例における処理の流れを、図５のフローを用いて説明する。なお、この処理はデジタルビデオカメラが撮影モードの状態にあるとき、一定周期で行われるものとする。
【００３２】
まず、ステップ５０１で、システムコントローラ７はマーカースイッチ９がＯＮ状態か否かを判定する。マーカースイッチ９がＯＮ状態であれば、システムコントローラ７は処理をステップ５０２に進める。ステップ５０１においてマーカースイッチ９がＯＮでなければ、システムコントローラ７は処理をステップ５０５に進める。
【００３３】
ステップ５０５でシステムコントローラ７は水平マーカー表示を画面から消去した後、処理をステップ５０６に進め処理を終了する。既に水平マーカーが画面に表示されていない場合にはこの処理は省略する。
【００３４】
ステップ５０２でシステムコントローラ７は、表示モード選択スイッチ１４がマルチ画面取り込みモードであるか否かの判定を行う。マルチ画面取り込みモードであると判断した場合にはシステムコントローラ７は処理をステップ５０３に進める。マルチ画面取り込みモードでないと判断した場合には、システムコントローラ７は処理をステップ５０４に進める。
【００３５】
ステップ５０３でシステムコントローラ７は、マルチ画面取り込みを開始しているか否かを判断する。開始していると判断した場合には、処理をステップ５０５に進める。開始していないと判断した場合には、処理をステップ５０６に進め、処理を終了する。
【００３６】
ステップ５０５でシステムコントローラ７は、水平マーカー表示を画面から消去し、ステップ５０６にて処理を終了する。
【００３７】
ここまで説明したステップ５０１〜５０４の処理では、水平マーカー表示中にマルチ画面取り込みを開始すると同時に、水平マーカー表示をＯＦＦするようにした。
【００３８】
次に、図５のステップ５０２において、マルチ画面取り込みモードでないと判断した場合にシステムコントローラ７が行う処理について説明する。マルチ画面取り込みモードでないと判断した場合、システムコントローラ７は処理をステップ５０４に進める。
【００３９】
ステップ５０４において、システムコントローラ７は特殊効果処理が実行されているか否かの判定を行う。特殊効果処理が実行されていれば、システムコントローラ７は処理をステップ５０５に進める。特殊効果が実行されていなければ、システムコントローラ７は処理をステップ５０６に進め、処理を終了する。
【００４０】
ステップ５０５で、システムコントローラ７は水平マーカー表示を消去し、ステップ５０６に進み今回の処理を終了する。
【００４１】
以上のように図５におけるフローチャートでは、被写体の表示態様が変化するマルチ画面取り込みモードや、特殊効果処理を実行する場合には、水平マーカー表示を消去する処理を説明した。このような処理を行うことにより、被写体の表示態様の変化に応じて自動的に指標の表示がＯＮ／ＯＦＦされる。従って、被写体の表示態様が変化するたびに撮影者がマーカスイッチ９を操作して指標表示をＯＮ／ＯＦＦする必要がなくなり、操作性が向上する。
【００４２】
本実施例では水平マーカを消去する処理について説明したが、必ずしも消去する必要はない。例えば水平マーカーを点線にしたり、細い線にしたり、半透明にする等、目立たない表示に変更するようにしてもよい。このような処理にすれば、通常モードの画面（図１１）に切り換えることで水平マーカー１１０１が表示されることを、ユーザはマルチ画面を見ながらにして認識することができる。
【００４３】
また、本実施例では被写体の表示態様が変化する特殊効果処理が実行されている場合は水平マーカーを消去する処理を行っているが、すべての特殊効果について水平マーカーを消去しなくともよい。
【００４４】
例えば、「セピア」「白黒」といった特殊効果は被写体の表示領域は変化しないため、水平マーカー１１０１をそのまま表示しても構図の決定に役立つ場合がある。従って、特殊効果の種類に応じて水平マーカーを消去しないように表示を制御することも可能である。
【００４５】
この場合には図５のステップ５０４／ＹＥＳの次に、特殊効果の種類を判断するステップを加えることにより、特殊効果の種類に応じて水平マーカーの表示を制御することができる。
【００４６】
＜実施例２＞
次にマルチ画面取り込みにおける第２の実施例について説明する。
【００４７】
実施例１では被写体の表示態様が変更された場合にマーカーの表示を消去する処理を行った。しかし、表示態様が変更された後の画面にも、構図の決定のために何らかの指標が表示されていることが望ましい。
【００４８】
そこで本実施例では、被写体の表示態様に応じて指標の位置を動的に変更させる構成とした。
【００４９】
本実施例のシステム構成など、実施例１と共通する部分は説明を省略し、実施例２に特有の部分について詳細に説明する。
【００５０】
本実施例では、マルチ画面取り込みにマルチ画面マニュアル取り込みとマルチ画面オート取り込みという２種類のモードが用意されている。マルチ画面マニュアル取り込みとは、撮影者がマルチ取り込みボタン１３を押下したタイミングで画像を取り込むモードである。すなわち、撮影者が任意のタイミングで複数の画像を取り込めるモードである。マルチ画面オート取り込みとは、撮影者がマルチ取り込みボタン１３を押下して取り込み開始のタイミングを決定することにより、取り込み開始以降は一定の周期で画像を取り込むモードである。マニュアルとオートの切換えは表示モード選択スイッチ１４で行ってもよいし、別途表示装置１２に切換えメニューを表示してもよい。また、自動取り込みの間隔が設定できるようにしてもよい。
【００５１】
ここで第２の実施例においてシステムコントローラ７が行う動作について、図６のフローチャートを使って説明する。本フローチャートでは、マルチ画面取り込み時の処理について説明する。この処理はデジタルビデオカメラが撮影モードの状態にあるとき、一定周期で行われるものとする。
【００５２】
まず、ステップ６０１で、システムコントローラ７は現在マーカースイッチがＯＮ状態か否かの判定を行なう。ＯＦＦ状態であれば処理をステップ６０７に進め、ＯＮ状態であれば処理をステップ６０２に進める。
【００５３】
ステップ６０２で、システムコントローラ７はマルチ画面マニュアル取り込みモードがＯＮ状態になっているか否かの判定を行なう。ＯＦＦ状態になっていれば処理をステップ６１１に進め、ＯＮ状態であれば処理をステップ６０３に進める。
【００５４】
ステップ６０３で、システムコントローラ７はマルチ画面マニュアル取り込みが終了しているか否かを判断する。取り込みが終了していると判断した場合には、システムコントローラ７は処理をステップ６１０に進める。取り込みが終了していないと判断した場合には、処理をステップ６０４に進める。
【００５５】
ステップ６０４で、システムコントローラ７はマルチ画面マニュアル取り込みが開始されているか否かの判定を行う。開始されていれば、システムコントローラ７は処理をステップ６０５に進める。開始されていない場合には処理をステップ６０９に進める。
【００５６】
ステップ６０５で、システムコントローラ７は水平マーカーを表示する座標を計算する。具体的には、マルチ画面における被写体の表示領域に対する相対位置が、図１１に示す被写体１１０２の表示領域に対する水平マーカーの相対位置と同じになるように座標を決定する。
【００５７】
ステップ６０６で、システムコントローラ７はステップ６０５で計算した座標に水平マーカーを表示する。そして処理をステップ６１３に進め、今回の処理を終了する。
【００５８】
ステップ６０６の処理が行われた後の画面を図１４に示す。１４０１は水平マーカーである。図１４に示すように、本実施例では被写体１２０５の表示領域に合わせて水平マーカー１４０１が表示される。
【００５９】
図１４に示す状態で、撮影者がマルチ取り込みボタン１３を押下した場合に表示される画面を図１５に示す。１２０５が新たな取り込み済画像となり、１２０６の位置に被写体が表示される。１５０１は水平マーカーである。図１５に示すように、本実施例では、新たに取り込み済画像が表示されるたびに被写体の表示領域が変更されるため、それに合わせて水平マーカーの位置を変更する処理を行う。
【００６０】
ステップ６０１にて処理をステップ６０７に進めた場合には、システムコントローラ７は水平マーカー表示を消去する処理を行う。すでに水平マーカーが表示されていない状態であれば、この処理は省略する。
【００６１】
ステップ６０７の処理を行った後の画面を図１２に示す。１２０１〜１２０４は取り込み済画像、１２０５は被写体である。
【００６２】
ステップ６０８で、システムコントローラ７は水平マーカーの表示制御を行わない通常のマルチ画面取り込みを行った後、処理をステップ６１３に進め本処理を終了する。
【００６３】
ステップ６０２で処理をステップ６１１に進めた場合には、システムコントローラ７は水平マーカー表示を消去する処理を行い、処理をステップ６１２に進める。
【００６４】
ステップ６１２で、システムコントローラ７はマルチ画面オート取り込みを行った後、処理をステップ６１３に進め、本処理を終了する。ステップ６０２、６１１、６１２、６１３の一連の処理は、マルチ画面オート取り込みの場合は水平マーカー表示を消去する処理である。マルチ画面オート取り込みは撮影者の操作なしで自動的に画像を取り込むモードであるから、水平マーカー表示は不要である。また、自動取り込みの間隔が短い場合には、高速で複数の画面を取り込むため、水平マーカー表示は不要である。
【００６５】
ステップ６０３で処理をステップ６１０に進めた場合には、システムコントローラ７は水平マーカー表示を消去する処理を行った後、処理をステップ６１３に進め、今回の処理を終了する。
【００６６】
ステップ６０４で処理をステップ６０９に進めた場合には、システムコントローラ７は通常モードの位置に水平マーカーを表示する処理を行なった後、処理をステップ６１３に進め本処理を終了する。
【００６７】
ステップ６０９の処理が行われた後の画面を図１３に示す。１３０１は水平マーカーであり、図１１の水平マーカー１１と同じ位置に表示される。
【００６８】
以上説明したように、本実施例では水平マーカー表示中にマルチ画面取り込みを行なう場合には、被写体に合わせた位置に水平マーカー表示を行なう構成にした。このことにより、適切な位置に指標が表示されることになり、撮影者はマルチ画面取り込み中でも指標を参考にして水平にカメラを構えることができる。また、本実施例ではすべての画像の取り込みが完了した場合は、水平マーカー表示を消去するように制御される。従って、撮影者が撮影後にマルチ画面を確認する際には、水平マーカーが邪魔にならずに済む。
【００６９】
なお、マルチ画面では通常の撮影時よりも撮影領域の表示エリアが小さくなり、指標の表示が見えづらくなる。従って、システムコントローラ７はマルチ画面で表示する指標１４０１の色を赤などの目立つ色に変えるようにしてもよい。
【図面の簡単な説明】
【００７０】
【図１】デジタルビデオカメラの基本構成図
【図２】カメラ信号処理５内のブロック図
【図３】通常モードで被写体を表示する画面を表す図
【図４】マルチ画面取込みモードのときの画面を表す図
【図５】実施例１における処理を表すフローチャート
【図６】実施例２における処理を表わすフローチャート
【図７】マルチ画面取込みモードのときの画面を表す図
【図８】マルチ画面取込みモードのときの画面を表す図
【図９】特殊効果の選択メニュー画面を表わす図
【図１０】回転効果を施した画面を表わす図
【図１１】通常モードでの被写体と水平マーカーを表す図
【図１２】マルチ画面取込みモードのときの画面を表す図
【図１３】マルチ画面取込みモードのときの画面と水平マーカーを表す図
【図１４】マルチ画面取込みモードのときの画面と水平マーカーを表す図
【図１５】マルチ画面取込みモードのときの画面と水平マーカーを表す図
【図１】
2007174530.tif 000003
【図２】
2007174530.tif 000004
【図３】
2007174530.tif 000005
【図４】
2007174530.tif 000006
【図５】
2007174530.tif 000007
【図６】
2007174530.tif 000008
【図７】
2007174530.tif 000009
【図８】
2007174530.tif 000010
【図９】
2007174530.tif 000011
【図１０】
2007174530.tif 000012
【図１１】
2007174530.tif 000013
【図１２】
2007174530.tif 000014
【図１３】
2007174530.tif 000015
【図１４】
2007174530.tif 000016
【図１５】
2007174530.tif 000017